(57)【要約】【課題】容易に作製することができる部品点数の少ない構造を有し、簡単に眼鏡を保持することができると共に、眼鏡を輸送する際の収納・整理用のツール（台紙）としても使用することができる、眼鏡スタンドを提供する。【解決手段】眼鏡ホルダ１０は、長手方向を有する１枚のシート基材１２を折り曲げて形成され、シート基材１２の長手方向の両端で且つその幅方向の中間部からシート基材１２の長手方向の中間部へと延び設けられる切り込み線１４ａ，１４ｂと、切り込み線１４ａ，１４ｂの先端部からシート基材１２の幅方向の一端へと延び設けられる折り曲げ線２４ａ，２４ｂと、折り曲げ線２４ａ，２４ｂを介してシート基材１２の長手方向の両側に連接され、折り曲げ線２４ａ，２４ｂで折り曲げられてシート基材１２を起立させた状態に保持する保持脚部２６ａ，２６ｂを含むことを特徴とする。【選択図】図１
0003139985.tif 000002
【実用新案登録請求の範囲】
【請求項１】
長手方向を有する１枚のシート基材を折り曲げて形成される眼鏡スタンドであって、
前記シート基材の長手方向の両端で且つその幅方向の中間部から前記シート基材の長手方向の中間部へと延び設けられる切り込み線、
前記シート基材の長手方向の中間部に位置する前記切り込み線の先端部から前記シート基材の幅方向の一端へと延び設けられる折り曲げ線、および
前記折り曲げ線を介して前記シート基材の長手方向の両側に連接され、前記折り曲げ線で折り曲げられて前記シート基材を起立させた状態に保持する保持脚部を含むことを特徴とする、眼鏡スタンド。
【請求項２】
前記シート基材の長手方向の一方側の前記保持脚部は、当該保持脚部の幅方向の中間部から幅方向の一端に到達する一方の係合用スリットを有し、
前記シート基材の長手方向の他方側の前記保持脚部は、当該保持脚部の幅方向の中間部から、前記一方の係合用スリットとは反対方向の幅方向の他端に到達する他方の係合用スリットを有し、
前記シート基材の長手方向の両側の前記保持脚部を前記折り曲げ線で折り曲げて対向させ、一方の前記係合用スリットと他方の前記係合用スリットとが係合されることにより、一方および他方の前記保持脚部が連結されることを特徴とする、請求項１に記載の眼鏡スタンド。
【請求項３】
前記保持脚部は、
前記折り曲げ線を前記シート基材との連接基端部位とする当該保持脚部の固定辺と、当該保持脚部の自由辺とで、当該保持脚部の輪郭を形成し、
前記切り込み線と前記シート基材の幅方向に対向する前記自由辺から、前記折り曲げ線と前記シート基材の長手方向に対向する前記自由辺に延び設けられる弱め線が折り曲げられて、あるいは、前記切り込み線と前記シート基材の幅方向に対向する前記自由辺から、前記切り込み線側に位置する前記自由辺に延び設けられる弱め線が折り曲げられて、
前記シート基材を所定の載置場所に起立させた際に、前記載置場所と当接される当接片を含むことを特徴とする、請求項１または請求項２に記載の眼鏡スタンド。
【請求項４】
前記保持脚部は、前記弱め線が切断された切断端縁を含み、前記シート基材を所定の載置場所に起立させた際に、前記切断端縁は前記載置場所に当接されることを特徴とする、請求項１〜請求項３のいずれかに記載の眼鏡ホルダ。
【請求項５】
前記シート基材は、一方の前記切り込み線の先端部と他方の前記切り込み線の先端部との間を結ぶ区画境界線をさらに含み、
前記保持脚部により起立状態に支持された前記シート基材は、前記区画境界線によって、
前記区画境界線および前記保持脚部の前記固定辺で囲まれた囲繞部と、前記区画境界線を介して前記囲繞部と連接される連接部とに区画され、
前記区画境界線の部位が折り曲げ可能に設けられることを特徴とする、請求項１〜請求項４のいずれかに記載の眼鏡スタンド。
【請求項６】
前記シート基材は、テンプルが折り畳まれた状態の多数の眼鏡を輸送する際に、折り畳まれた前記眼鏡のテンプルと前記眼鏡のレンズとの間に挿入されて、収納・整理用ツールとして用いられる台紙で形成されていることを特徴とする、請求項１〜請求項５のいずれかに記載の眼鏡スタンド。
【請求項７】
前記シート基材は、前記保持脚部、前記囲繞部および前記連接部の内の少なくともいずれかの部位に、前記眼鏡スタンドで支持される眼鏡の特長，特性、有用性等の各種ＰＯＰ情報（購買時点広告情報）を表記した表示部が設けられていることを特徴とする、請求項５または請求項６に記載の眼鏡スタンド。
【考案の詳細な説明】
【技術分野】
【０００１】
本願考案は、眼鏡スタンドに関し、特に、簡易な構造を有するもので、眼鏡を容易に掛けたり立てたりして支持することができる、眼鏡スタンドに関する。
【背景技術】
【０００２】
従来、眼鏡を使用しない際には、その眼鏡をケース状の眼鏡ホルダの中に入れて保管する場合が多いものであった。このような従来の眼鏡ホルダの一例としては、１枚の可撓性を有する皮革材で形成されたケース本体を含み、ケース本体は、折り畳み自在に形成された４つのプレート状の分割片と、１つの分割片の内側に設けられ、眼鏡を支持するための比較的硬質なプレート状の支持部とを含む、眼鏡ケースがあった（例えば、特許文献１参照）。
上記特許文献１に記載された眼鏡ケースでは、ケース本体が、１つの分割片に対して他の３つの分割片を重ね合わせる重ね合わせ状態に折り畳み可能となると共に、４つの分割片を順次折り曲げて、ケース本体の始端部（始端の分割片）と終端部（終端の分割片）とをホック等の留め金具により着脱自在に固定することで略三角柱をなす中空筒状の筒状体に折り畳み可能となっている。この眼鏡ケースでは、眼鏡を収容する場合、４つの分割片が折り曲げられて形成された筒状体内の支持部に眼鏡が保持される。そして、眼鏡ケース内に眼鏡が非収容状態にある場合には、ケース本体は、その分割片が重ね合わせ状態に折り畳まれる。そのため、眼鏡ケースを単独で携帯する際には、眼鏡ケースが必要以上に嵩張ることがなく携帯が容易なものとなっている。
【０００３】
しかし、上記特許文献１に示す従来の眼鏡ケースでは、眼鏡を使用しない時に、その都度、眼鏡をケース本体に収納するため、手間のかかるものであった。つまり、この眼鏡ケースに眼鏡を収納する場合には、一旦、留め金具を外し、筒状体に折り畳まれたケース本体を開いて眼鏡を支持部に保持させた後、再度、ケース本体を折り畳んで留め金具を閉じるという一連の作業が必要となるため、煩雑なものとなっていた。また、眼鏡が非収容状態の眼鏡ケースを紛失する恐れや、眼鏡ケースが邪魔になる場合もあった。
【０００４】
そこで、家庭やオフィスなどで眼鏡を使用する場合に、手近な場所で簡便に眼鏡を保持することができるメガネホルダー（例えば、特許文献２参照）、眼鏡スタンド（例えば、特許文献３参照）、および、めがねスタンド（例えば、特許文献４参照）が提案されている。また、これらのメガネホルダー、眼鏡スタンド、および、めがねスタンドは、家庭やオフィス以外にも、眼鏡販売店店頭の陳列ケースや陳列棚に展示することもでき、眼鏡のディスプレイ用ツールとしても有用なものとなっている。
【０００５】
すなわち、上記特許文献２には、メガネホルダー本体と、このメガネホルダー本体を壁面部に固定させる固定部とを有し、メガネホルダー本体は、折り畳んだ状態のメガネのつる部を保持しうる前面部材と背面部材とを有し、その前面部材と背面部材との間に折り畳んだ状態のメガネフレームの両側つる部を載置しうるメガネ支持部が形成されると共に、前面部材の前面側にメガネフレームのブリッジ部を係止しうる突出部が設けられ、固定部は背面部材の背面部に設けられているメガネホルダーが記載されている。このメガネホルダーでは、洗面所やドレッサー等の近傍の壁などに、吸盤で形成された固定部を利用して簡単にメガネホルダー本体を固定することができる。
【０００６】
また、上記特許文献３には、立上がり壁およびこの立上がり壁の下端から前方に伸びる載置面を有し、この立上がり壁の前面が磁性板にて形成されたスタンド基台と、一端に磁石を有し、この磁石が磁性板に脱着可能に接合されて立上がり壁から前方に突出し、この突出部に眼鏡のブリッジ部を引っ掛けることが可能なフックとを有する眼鏡スタンドが記載されている。この眼鏡スタンドでは、眼鏡のブリッジ部をフックに引っ掛けて、レンズ面を立てた状態で眼鏡を支持することができ、レンズが眼鏡スタンドの立ち上がり壁や載置面に接触することがないので、レンズに傷が付き難い。そして、フックを立上がり壁に対し磁石で接合するようにしているので、フックの高さを自由に変えることができ、眼鏡の大きさに応じてフックの取り付け位置が容易に調整することができる。
【０００７】
さらに、上記特許文献４には、相対向する傾斜面の稜線部に跨るスリットで、折り畳まれためがねフレームの耳掛けアーム部の支持部が形成されていると共に、稜線部の両側傾斜面でめがねフレームの鼻当て部との当接部が形成され、スリットが形成されるべき開口が形成された板状体を屈曲したその屈曲部で稜線部が形成されているめがねスタンドが記載されている。このめがねスタンドでは、折り畳まれためがねフレームの耳掛けアームをスリットに上方から入れると共に、めがねの鼻当て部を稜線部の両側斜面に当接させることによって、めがねを保持させることができる。
【０００８】
【特許文献１】登録実用新案第３０５６３０３号公報
【特許文献２】登録実用新案第３１０２５９５号公報
【特許文献３】登録実用新案第３０１４６９９号公報
【特許文献４】特開２００２−３３６１０５号公報
【考案の開示】
【考案が解決しようとする課題】
【０００９】
しかしながら、上記特許文献２に示す従来技術では、メガネホルダー本体が、前面部材、背面部材、固定部および突出部で構成され、部品点数が多く、形状も複雑で組み立ても手間の掛かるものであった。
また、上記特許文献３に示す従来技術では、スタンド基台が鉄板やステンレス板等の磁性板で一体的に形成されていることから、上記特許文献２に示すメガネホルダーよりも部品点数は少なくなっているものの、磁性板を屈曲成形することにより立体的に形成されているため、製造コストも高価なものとなり、保管スペースや運搬スペースの点でも問題を有するものであった。
さらに、上記特許文献４に示す従来技術では、相対向する傾斜面の稜線部に対して、この稜線部に跨るスリットが形成されているだけであるから、その形状が簡単であり、部品点数も上記特許文献３に示す眼鏡スタンドよりもさらに少なくなっているものの、このめがねスタンドは、金属や合成樹脂等を用いて射出成形で作成したり、また、石材や木材を削ってブロック状に作成したり、あるいは、鉄板，ステンレス板，アルミ板等の平板材に打ち抜き加工を施すことによって作成されるものとなっているため、容易に製造することが困難なものであって、製造コストも高価になる等の課題を有するものとなっている。
【００１０】
さらに、一方で、眼鏡の卸売企業（商社）などでは、環境面および経済的側面から、眼鏡を輸送する際の収納・整理用ツールとして用いられている台紙の再利用が検討されている。
すなわち、従来、商社から小売店舗に眼鏡を輸送する際には、１ダース単位の収納箱（例えば、図４参照）内に、台紙でそれぞれ支持された眼鏡（例えば、図１９参照）が、整然と整列されて収納されるものである。この場合、テンプルが折り畳まれた状態の眼鏡を台紙で支持することによって、収納箱内での眼鏡の乱雑な配列を防ぎ、体裁を整えることができるものとなっている。また、商社から小売店舗に収納箱が輸送された後、小売店舗側で収納箱の中から眼鏡を取り出して整理し易いものとするために、台紙には、収納される眼鏡の品番やカラー番号が記載されている。
【００１１】
ところが、小売店舗側では、収納箱内から眼鏡を取り出して、店頭の陳列ケースや陳列棚に陳列・展示するときに、多くの場合、当該台紙をゴミとして捨てているのが常であった。このことは、ゴミを少なくして環境資源を大切にするという観点からも、問題のあるものであった。
そこで、本願考案の考案者は、ゴミとして捨てられる台紙を眼鏡販売店店頭の陳列ケースや陳列棚に展示することのできる眼鏡のディスプレイ用ツールとしても使用することができないか鋭意研究を重ねるに至ったものである。
【００１２】
それゆえに、本願考案の主たる目的は、容易に作製することができる部品点数の少ない構造を有し、簡単に眼鏡を保持することができると共に、眼鏡を輸送する際の収納・整理用のツール（台紙）としても使用することができ、且つ、持ち運びが便利で不使用時の保管スペースも小さくすることができる、眼鏡スタンドを提供することである。
【課題を解決するための手段】
【００１３】
請求項１にかかる本願考案は、長手方向を有する１枚のシート基材を折り曲げて形成される眼鏡スタンドであって、シート基材の長手方向の両端で且つその幅方向の中間部からシート基材の長手方向の中間部へと延び設けられる切り込み線と、シート基材の長手方向の中間部に位置する切り込み線の先端部からシート基材の幅方向の一端へと延び設けられる折り曲げ線と、折り曲げ線を介してシート基材の長手方向の両側に連接され、折り曲げ線で折り曲げられてシート基材を起立させた状態に保持する保持脚部を含むことを特徴とする、眼鏡スタンドである。
請求項１にかかる本願考案では、切り込み線と折り曲げ線との協働作用により保持脚部が折り曲げ可能となり、当該保持脚部が折り曲げられて、シート基材が起立した状態で保持される。保持脚部により起立された状態に保持されたシート基材に、眼鏡が支持される。この場合、起立した状態のシート基材の起立部は、例えば、テンプルが折り畳まれた状態の眼鏡のレンズとテンプルとの間への挿入が可能となり、智、鼻パッド、テンプルおよびモダン等の眼鏡の非光学部品の少なくとも一部が、シート基材の起立部の一部、あるいは、シート基材の起立部および保持脚部の一部に載置・当接されて支持されるものとなる。また、例えば、テンプルが折り畳まれた状態の眼鏡のレンズと鼻パッドとの間に起立した状態のシート基材が挿入可能となり、この場合、当該鼻パッドおよびレンズ間に、起立したシート基材の起立部が挟持されて支持されるものとなる。さらに、例えば、テンプルを開いた状態の眼鏡の智の一部をシート基材の起立部の上端部に載置して当該眼鏡を立て掛けたりすることも可能となる。
請求項２にかかる本願考案は、請求項１にかかる考案に従属する考案であって、シート基材の長手方向の一方側の保持脚部は、保持脚部の幅方向の中間部から幅方向の一端に到達する一方の係合用スリットを有し、シート基材の長手方向の他方側の保持脚部は、保持脚部の幅方向の中間部から、一方の係合用スリットとは反対方向の幅方向の他端に到達する他方の係合用スリットを有し、シート基材の長手方向の両側の保持脚部を折り曲げ線で折り曲げて対向させ、一方の係合用スリットと他方の係合用スリットとが係合されることにより、一方および他方の保持脚部が連結されることを特徴とする、眼鏡スタンドである。
請求項２にかかる本願考案では、一方の保持脚部の係合用スリットと他方の保持脚部の係合用スリットとが係合されて、一方および他方の保持脚部の係合端部が閉鎖され、一方および他方の保持脚部同士が連結される。この場合、一方および他方の保持脚部の係合端部がたとえば平面視略三角形状等のループ状に連結されることになるので、より一層安定した状態でシート基材を起立させることが可能となる。そして、起立した状態のシート基材の起立部に眼鏡が掛けられた場合、当該眼鏡のテンプルおよびモダンが、ループ状に連結された保持脚部の上端部に載置されて支持可能となる。
請求項３にかかる本願考案は、請求項１または請求項２にかかる考案に従属する考案であって、保持脚部は、折り曲げ線をシート基材との連接基端部位とする保持脚部の固定辺と、保持脚部の自由辺とで、保持脚部の輪郭を形成し、切り込み線とシート基材の幅方向に対向する自由辺から、折り曲げ線とシート基材の長手方向に対向する自由辺に延び設けられる弱め線が折り曲げられて、あるいは、切り込み線とシート基材の幅方向に対向する自由辺から、切り込み線側に位置する自由辺に延び設けられる弱め線が折り曲げられて、シート基材を所定の載置場所に起立させた際に、載置場所と当接される当接片を含むことを特徴とする、眼鏡スタンドである。
請求項３にかかる本願考案では、保持脚部に設けられた弱め線の部位で折り曲げられた当接片が形成されるため、保持脚部を安定して支持することが可能となり、延いては、安定した状態でシート基材を起立させることが可能となる。この場合、弱め線で折り曲げられた当接片でシート基材が載置場所に支持されるため、当該シート基材は、傾斜した状態で起立するものとなる。そのため、傾斜して起立した状態のシート基材の起立部に眼鏡が掛けられると、当該眼鏡のレンズ面がシート基材の傾斜面に沿って傾斜した状態で支持されるものとなる。
請求項４にかかる本願考案は、請求項１〜請求項３のいずれかにかかる考案に従属する考案であって、保持脚部は、弱め線が切断された切断端縁を含み、シート基材を所定の載置場所に起立させた際に、切断端縁は載置場所に当接されることを特徴とする、眼鏡スタンドである。
請求項４にかかる本願考案では、保持脚部が弱め線で切断された切断端縁を有するので、当該保持脚部によりシート基材を載置場所に起立させると、当該シート基材は、載置場所に傾斜した状態で起立するものとなる。そのため、傾斜して起立した状態のシート基材の起立部に眼鏡が掛けられると、当該眼鏡のレンズ面がシート基材の傾斜面に沿って傾斜した状態で支持されるものとなる。
請求項５にかかる本願考案は、請求項１〜請求項４のいずれかにかかる考案に従属する考案であって、シート基材は、一方の切り込み線の先端部と他方の切り込み線の先端部との間を結ぶ区画境界線をさらに含み、保持脚部により起立状態に支持されたシート基材は、区画境界線によって、区画境界線および保持脚部の固定辺で囲まれた囲繞部と、区画境界線を介して囲繞部と連接される連接部とに区画され、区画境界線の部位が折り曲げ可能に設けられることを特徴とする、眼鏡スタンドである。
請求項５にかかる本願考案では、シート基材が、区画境界線を有するので、当該区画境界線により囲繞部および連接部に区画される。連接部は、起立した状態に配置されると共に、眼鏡が掛けられて眼鏡を支持する支持部としての機能を有する。また、囲繞部は、連接部を支持すると共に、保持脚部により支持されている。さらに、区画境界線の部位が折り曲げ可能に設けられているため、起立させた状態のシート基材の連接部は、囲繞部の面に対して、適宜、傾斜させることが可能となる。そのため、傾斜して起立した状態の連接部に眼鏡が掛けられると、当該眼鏡のレンズ面が連接部の傾斜面に沿って傾斜した状態で支持されるものとなる。
請求項３〜請求項５にかかる本願考案では、傾斜して起立した状態のシート基材に眼鏡を掛けて支持することが可能となるため、眼鏡販売店店頭等の陳列棚に本願考案の眼鏡スタンドを載置して眼鏡を展示する場合、来店者の目線よりも低い位置で当該眼鏡を展示するのに極めて好適なものとなる。なお、来店者の目線よりも高い位置に本願考案の眼鏡スタンドを載置して当該眼鏡を展示する場合には、起立した状態のシート基材が載置場所に対して略垂直になるように起立させればよい。この場合、シート基材は、弱め線で折り曲げられた当接片および弱め線で切断された切断端面を有するものではなく、また、区画境界線の部位が折り曲げられるものでもない。
請求項６にかかる本願考案は、請求項１〜請求項５のいずれかにかかる考案に従属する考案であって、シート基材は、テンプルが折り畳まれた状態の多数の眼鏡を輸送する際に、折り畳まれた眼鏡のテンプルと眼鏡のレンズとの間に挿入されて、収納・整理用ツールとして用いられる台紙で形成されていることを特徴とする、眼鏡スタンドである。
請求項６にかかる本願考案では、シート基材が、テンプルが折り畳まれた状態の多数の眼鏡を輸送する際に、収納・整理用ツールとしての機能を備えた台紙で形成されている。そのため、従来、たとえば卸売企業（商社）から小売店舗に眼鏡を輸送する際に用いられ、小売店舗側で、収納箱内から眼鏡を取り出して、店頭の陳列ケースや陳列棚に陳列・展示するときに、ゴミとして捨てられていた台紙を再利用することが可能となる。すなわち、ゴミとして捨てられる台紙を眼鏡販売店店頭の陳列ケースや陳列棚に展示することのできるディスプレイ用ツールとして使用することが可能となる。この場合、ゴミを少なくして環境資源を大切にするという環境面、さらには、経済的側面からも、有用性のある眼鏡スタンドが提供され得るものである。
請求項７にかかる本願考案は、請求項５または請求項６にかかる考案に従属する考案であって、シート基材は、保持脚部、囲繞部および連接部の内の少なくともいずれかの部位に、眼鏡スタンドで支持される眼鏡の特長，特性、有用性等の各種ＰＯＰ情報（購買時点広告情報）を表記した表示部が設けられていることを特徴とする、眼鏡スタンドである。
請求項７にかかる本願考案では、表示部に当該ＰＯＰ情報（購買時点広告情報）が表記されているため、小売店や一般の顧客に対して、当該ＰＯＰ情報（購買時点広告情報）等を目視で簡単に認識させることが可能となっている。
【考案の効果】
【００１４】
本願考案によれば、容易に作製することができる部品点数の少ない構造を有し、簡単に眼鏡を保持することができると共に、眼鏡を輸送する際の収納・整理用のツール（台紙）としても使用することができ、且つ、持ち運びが便利で不使用時の保管スペースも小さくすることができる、眼鏡スタンドが得られる。
【００１５】
この考案の上述の目的，その他の目的，特徴および利点は、図面を参照して行う以下の考案を実施するための最良の形態の詳細な説明から一層明らかとなろう。
【考案を実施するための最良の形態】
【００１６】
図１は、本願考案にかかる眼鏡スタンドの実施形態の一例を示す斜視図であり、図２は図１に示す眼鏡スタンドの展開図である。また、図３は、図１に示す眼鏡スタンドの使用状態の一例を示す斜視図である。
本実施形態例の眼鏡スタンド１０は、長手方向を有する１枚のシート基材を折り曲げて形成されるもので、たとえば平面視横長矩形状のシート基材１２を含む。シート基材１２は、厚紙、型紙、ダンボール紙等の比較的腰は有るが折り曲げ可能な紙質材料で形成されている。シート基材１２は、その長手方向（例えば図１，図２で見て、左右方向）の両側の辺端縁で且つその幅方向（例えば図１，図２で見て、上下方向）の中間部から、シート基材１２の長手方向の中間部に延びる切り込み線１４ａおよび１４ｂを有する。
一方の切り込み線１４ａは、シート基材１２の長手方向の一方側の辺端縁で且つ、その幅方向の中央から、シート基材１２の長手方向の中央側へ所定の長さを持って延び設けられる。他方の切り込み線１４ｂは、シート基材１２の長手方向の他方側の辺端縁で且つ、その幅方向の中央から、シート基材１２の長手方向の中央側へ所定の長さを持って延び設けられる。
【００１７】
また、シート基材１２は、その長手方向の両側の辺端縁に、それぞれ、平面視たとえば横長矩形の切り欠き部１６ａおよび１６ｂを有する。この場合、切り欠き部１６ａは、シート基材１２の長手方向に平行に延びて且つシート基材１２の幅方向に対向する２つの内端縁１８ａ，２０ａと、シート基材１２の幅方向に平行に延びて内端縁１８ａおよび２０ａに直角に連なる内端縁２２ａとで構成されている。同様に、切り欠き部１６ｂは、シート基材１２の長手方向に平行に延びて且つシート基材１２の幅方向に対向する２つの内端縁１８ｂ，２０ｂと、シート基材１２の幅方向に平行に延びて内端縁１８ｂおよび２０ｂに直角に連なる内端縁２２ｂとで構成されている。
【００１８】
本実施形態例では、切り込み線１４ａが切り欠き部１６ａの対向する一方の内端縁２０ａの延長線上に設けられ、切り込み線１４ｂが切り欠き部１６ｂの対向する一方の内端縁２０ｂの延長線上に設けられている。この場合、一方の切り込み線１４ａは、切り欠き部１６ａの内端縁２０ａと内端縁２２ａとの交点Ｗａを始端とし、切り込み線１４ａの先端部Ｘａを終端とするもので、他方の切り込み線１４ｂは、切り欠き部１６ｂの内端縁２０ｂと内端縁２２ｂとの交点Ｗｂを始端とし、切り込み線１４ｂの先端部Ｘｂを終端とするものであり、切り込み線１４ａおよび１４ｂは略同じ長さに形成されている。
【００１９】
また、シート基材１２には、切り込み線１４ａ，１４ｂに連接される折り曲げ線２４ａ，２４ｂが設けられる。折り曲げ線２４ａ，２４ｂは、シート基材１２の長手方向の中間部に位置する切り込み線１４ａ，１４ｂの先端部Ｘａ，Ｘｂから、それぞれ、シート基材１２の幅方向の一方側の辺端縁（例えば、図２で見て、シート基材１２の上下方向の下方側の辺端縁）へと延び設けられている。
【００２０】
本実施形態例では、折り曲げ線２４ａおよび２４ｂを介して、シート基材１２の長手方向の両側に連接され、折り曲げ線２４ａおよび２４ｂで折り曲げ自在となる保持脚部２６ａおよび２６ｂが設けられる。したがって、本実施形態例にかかる眼鏡スタンド１０では、特に、図１に示すように、シート基材１２が折り曲げ線２４ａ，２４ｂで折り曲げられて当該シート基材１２を起立させた状態に保持されるものとなっている。
【００２１】
保持脚部２６ａおよび２６ｂは、それぞれ、保持脚部２６ａ，２６ｂの固定辺となる折り曲げ線２４ａ，２４ｂと、保持脚部２６ａ，２６ｂの自由辺となる当該保持脚部２６ａおよび２６ｂの３つの辺２８ａ，３０ａ，３２ａおよび２８ｂ，３０ｂ，３２ｂとで、当該保持脚部２６ａおよび２６ｂの輪郭が形成されている。折り曲げ線２４ａ，２４ｂは、折り曲げ線２４ａ，２４ｂを介してシート基材１２に連接されている保持脚部２６ａ，２６ｂの連接基端部位となっている。
【００２２】
さらに、保持脚部２６ａおよび２６ｂは、それぞれ、弱め線３４ａおよび３４ｂを含む。弱め線３４ａおよび３４ｂは、それぞれ、切り込み線１４ａ，１４ｂとシート基材１２の幅方向に対向する自由辺２８ａ，２８ｂから、折り曲げ線２４ａ，２４ｂとシート基材１２の長手方向に対向する自由辺３０ａ，３０ｂに延び設けられる。
【００２３】
本実施形態例にかかる弱め線３４ａ，３４ｂは、それぞれ、特に、図１に示すように、折り曲げ線２４ａ，２４ｂと保持脚部２６ａ，２６ｂの自由辺２８ａ，２８ｂとの交点Ｙａ，Ｙｂから、折り曲げ線２４ａ，２４ｂに対して、所定の傾斜角度θａ，θｂの方向に直線状に延び設けられ、保持脚部２６ａ，２６ｂの自由辺３０ａ，３０ｂに到達するものとなっている。この場合、弱め線３４ａ，３４ｂは、それぞれ、交点Ｙａ，Ｙｂを始端とし、自由辺３０ａ，３０ｂに到達した到達点Ｚａ，Ｚｂを終端としている。
また、弱め線３４ａ，３４ｂは、それぞれ、切り込み線１４ａ，１４ｂとシート基材１２の幅方向に対向する保持脚部２６ａ，２６ｂの自由辺２８ａ，２８ｂから、切り込み線１４ａ，１４ｂ側に位置する保持脚部２６ａ，２６ｂの自由辺３２ａ，３２ｂに延び設けられるように設けられてもよい。
【００２４】
なお、シート基材１２は、上記した紙質材料に限定されるものではなく、折り曲げ可能で有る程度腰のあるものであるならばどのような材料で形成されてもよく、たとえば合成樹脂材料で形成されてもよい。
【００２５】
図１および図２に示す実施形態例にかかる眼鏡スタンド１０では、切り込み線１４ａ，１４ｂおよび折り曲げ線２４ａ，２４ｂの協働作用により保持脚部２６ａ，２６ｂが折り曲げ可能となり、保持脚部２６ａ，２６ｂが折り曲げられて、シート基材１２が起立した状態で所定の載置場所に保持することができる。保持脚部２６ａ，２６ｂにより起立された状態に保持されたシート基材１２には、たとえば図３に示すように、たとえばテンプル１０２を折り畳んだ状態の眼鏡１００が掛けられて支持される。
すなわち、当該眼鏡１００のレンズ１０４とテンプル１０２との間には、眼鏡スタンド１０の起立した状態のシート基材１２の起立部１２Ａを挿入することができ、この場合、智１０６、鼻パッド１０８、テンプル１０２およびモダン１１０等の眼鏡の非光学部品の一部が、シート基材１２の起立部１２Ａの一部および保持脚部２６ａ，２６ｂの一部に載置・当接されて支持されるものとなる。
【００２６】
また、眼鏡１００の種類や形状および大きさによっては、例えば、テンプル１０２が折り畳まれた状態の眼鏡１００のレンズ１０４と鼻パッド１０８との間に起立した状態のシート基材１２の起立部１２Ａを挿入することもでき、この場合、当該鼻パッド１０８とレンズ１０４との間に、起立したシート基材１２の起立部１２Ａを挟持させて支持することができる。さらに、テンプル１０２を開いた状態の眼鏡１００の智１０６の一部をシート基材１２の起立部１２Ａの上端部に載置して当該眼鏡１００を立て掛けたりすることもでき得るものである。
【００２７】
さらに、図１および図２に示す実施形態例にかかる眼鏡スタンド１０では、折り曲げ操作を行う前のシート基材１２が、たとえば図４および図５に示すように、テンプル１０２が折り畳まれた状態の多数の眼鏡１００を収納箱２００に輸送する際の収納・整理用ツールの台紙（例えば、図１９参照）としての機能を備えると共に、且つ、当該シート基材１２に所定の折り曲げ操作を施して眼鏡スタンド１０に組み立てることにより、たとえば眼鏡販売店店頭の陳列ケースや陳列棚に展示することが可能となるディスプレイ用ツールとしての機能をも兼ね備えたものとなっている。
【００２８】
折り曲げ操作を行う前のシート基材１２を収納・整理用ツールの台紙として使用する際には、当該シート基材１２が、折り畳まれた状態のテンプル１０２およびレンズ１０４間に挿入され、当該シート基材１２で折り畳まれた状態の眼鏡１００を支持するものであるが、この場合、シート基材１２の切り欠き部１６ａ，１６ｂの部位に眼鏡１００のフロントの両端部（テンプル１０２に連なる智１０８側）が挿入・挟持されるように配置されるものとなっている。なお、当該シート基材１２には、必ずしも、切り欠き部１６ａ，１６ｂを設ける必要はなく、その場合、シート基材１２の長手方向の両端側で且つその幅方向の中間部に、眼鏡１００のフロントの両端部が挿入・挟持されるように配置される。
【００２９】
すなわち、図１および図２に示す実施形態例にかかる眼鏡スタンド１０では、従来、たとえば卸売企業（商社）から小売店舗に眼鏡を輸送する際に用いられ、小売店舗側で、収納箱内から眼鏡を取り出して、店頭の陳列ケースや陳列棚に陳列・展示するときに、ゴミとして捨てられていた台紙（例えば、図１９参照）をシート基材１２として再利用することができる。
したがって、当該眼鏡スタンド１０は、ゴミを少なくして環境資源を大切にするという環境面、さらには、経済的側面からも、極めて有用性のあるものとなっている。
【００３０】
図６は、図１に示す眼鏡スタンドの他の例を示す斜視図であり、図７は、図６に示す眼鏡スタンドの展開図である。
図６，図７に示す実施形態例は、図１，図２に示す実施形態例と比べて、特に、たとえばシート基材１２の起立部１２Ａおよび保持脚部２６ａ，２６ｂの正面側に、それぞれ、印刷等により文字，記号，図等で表記された表示部４０が形成されている点で相違する。本実施形態例では、起立した状態のシート基材１２に支持される眼鏡に関連する各種情報が、適宜、表示部４０により表示されている。そのため、本実施形態例にかかる眼鏡スタンド１０では、当該眼鏡スタンド１０を陳列ケースや陳列棚に陳列・展示した際の装飾効果を含む陳列・展示効果を高めるものとなっている。なお、表示部４０は、シート基材１２の起立部１２Ａ、保持脚部２６ａ，２６ｂ、後述する囲繞部４４および連接部４６の内の少なくともいずれかの部位に、適宜、設けられ得るものである。
【００３１】
本実施形態例にかかる眼鏡スタンド１０では、当該眼鏡スタンドで支持される眼鏡の商標名，メーカ名，原産地名，素材名，フレーム名，品番，カラー番号等が表示部４０によって表記され、それ以外にも、当該眼鏡の特長，特性および有用性、その他、当該眼鏡に関するプライス情報、サイズの直し料金、売り出しコンテンツ等のメッセージを説明した当該眼鏡のＰＯＰ情報（購買時点広告情報）も表示部４０によって表記されている。
【００３２】
すなわち、従来の眼鏡スタンドでは、当該眼鏡スタンドで支持される眼鏡の商標名，メーカ名，原産地名，素材名，フレーム名，品番，カラー番号等の情報についての標記を有するものは見受けられるが、本実施形態例にかかる表示部４０のように、眼鏡の特長および有用性等の各種メッセージを主張したＰＯＰ情報（購買時点広告情報）を表記したものはないのが実情である。それに対して、本実施形態例にかかる眼鏡スタンド１０では、表示部４０に当該ＰＯＰ情報（購買時点広告情報）が表記されているため、小売店や一般の顧客に対して、当該ＰＯＰ情報（購買時点広告情報）等を目視で簡単に認識させることができるものとなっている。
【００３３】
図８は、図６に示す眼鏡スタンドの変形例を示す斜視図である。図８に示す実施形態例は、図６に示す実施形態例と比べて、特に、シート基材１２の一方の切り込み線２４ａの先端部Ｘａと他方の切り込み線２４ｂの先端部Ｘｂとの間に、先端部Ｘａおよび先端部Ｘｂを結ぶ区画境界線４２が設けられている点で相違する。
すなわち、シート基材１２は、区画境界線４２を含み、区画境界線４２によって、保持脚部２６ａ，２６ｂで起立状態に支持されたシート基材１２は、区画境界線４２および保持脚部２６ａ，２６ｂの折り曲げ線２４ａ，２４ｂ（固定辺）で囲まれた囲繞部４４と、区画境界線４２を介して囲繞部４４と連接される連接部４６とに区画される。この区画境界線４２の部位は、適宜、折り曲げ可能に設けられている。
【００３４】
そのため、本実施形態例にかかる眼鏡スタンド１０では、保持脚部２６ａ，２６ｂによって起立させた状態のシート基材１２の連接部４６を、囲繞部４４の面に対して、適宜、傾斜させることができる。つまり、傾斜して起立した状態の連接部４６に眼鏡が掛けられると、当該眼鏡のレンズ面が連接部４６の傾斜面に沿って傾斜した状態で支持することが可能となる。また、本実施形態例にかかる眼鏡スタンド１０では、起立させた状態のシート基材１２に掛けられて支持される眼鏡のフレームの重量が大きい場合に、適宜、区画境界線４２の長さ方向の距離を長く取って調整することが可能となる。
【００３５】
図９は、本願考案にかかる眼鏡スタンドの実施形態の他の例を示す斜視図であり、図１０は、図９に示す眼鏡スタンドの使用状態の一例を示す斜視図である。
図９に示す実施形態例は、図１に示す実施形態例と比べて、特に、保持脚部２６ａ，２６ｂが、シート基材１２を所定の載置場所に起立させた際に、載置場所と当接される当接片５０が設けられている点で相違する。この場合、保持脚部２６ａ，２６ｂに設けられた弱め線３４ａ，３４ｂの部位で折り曲げられて当接片５０が形成される。そして、当接辺５０が所定の載置場所に当接されるので、保持脚部２６ａ，２６ｂをより安定して支持することができる。延いては、安定した状態でシート基材１２を起立させることができる。
【００３６】
また、弱め線３４ａ，３４ｂは、たとえば図１〜図３に示すように、所定の傾斜角度θａ，θｂを有して設けられているので、弱め線３４ａ，３４ｂで折り曲げられた当接片５０によって、シート基材１２が載置場所に支持された場合には、シート基材１２を傾斜した状態で起立させることができる。
したがって、本実施形態例では、たとえば図１０に示すように、傾斜して起立した状態のシート基材１２の起立部１２Ａに眼鏡１００が掛けられると、当該眼鏡１００のレンズ１０４面がシート基材１２の起立部１２Ａの傾斜面に沿って傾斜した状態で支持されるものとなる。
【００３７】
なお、図９に示す本実施形態例では、たとえば図１１に示すように、たとえばシート基材１２の起立部１２Ａ，囲繞部４４および保持脚部２６ａ，２６ｂの正面側に、図６，図７に示す実施形態例と同様の作用・効果を有する表示部４０を設けるようにしてもよい。
また、図９に示す本実施形態例では、たとえば図１２に示すように、シート基材１２の一方の切り込み線２４ａの先端部Ｘａと他方の切り込み線２４ｂの先端部Ｘｂとの間に、図８に示す実施形態例と同様の作用・効果を有する区画境界線４２を設けるようにしてもよい。
【００３８】
図１３は、本願考案にかかる眼鏡スタンドの実施形態のさらに他の例を示す斜視図であり、（Ａ）は当該眼鏡スタンドを正面側から見た斜視図であり、（Ｂ）は当該眼鏡スタンドを背面側から見た斜視図である。図１４は、図１３に示す眼鏡スタンドの展開図であり、図１５は、図１３に示す眼鏡スタンドの要部斜視図である。
図１３〜図１５に示す実施形態例では、上述の各実施例と比べて、特に、保持脚部２６ａ，２６ｂが、弱め線３４ａ，３４ｂで切断された切断端縁５２ａ，５２ｂを含む点で相違する。この場合、シート基材１２を所定の載置場所に起立させた際に、切断端縁５２ａ，５２ｂが載置場所に当接される。つまり、弱め線３４ａ，３４ｂは、たとえば図１〜図３に示すように、所定の傾斜角度θａ，θｂを有して設けられているので、弱め線３４ａ，３４ｂで切断された切断端縁５２ａ，５２ｂが、シート基材１２が載置場所に支持された場合には、シート基材１２を傾斜した状態で起立させることができる。
【００３９】
さらに、図１３〜図１５に示す実施形態例では、上述の各実施例と比べて、特に、シート基材１２の長手方向（例えば、図１３，図１４で見て左右方向）の両側の保持脚部２６ａ，２６ｂを折り曲げ線２４ａ，２４ｂで折り曲げて対向させ、係合用スリット５４ａ，５４ｂにより係合して連結可能にしている点で相違する。
すなわち、図１３〜図１５に示す実施形態例では、シート基材１２の長手方向の一方側の保持脚部２６ａが、当該保持脚部２６ａの幅方向（例えば、図１３，図１４で見て上下方向）の中間部から幅方向の一端（上端）に到達する一方の係合用スリット５４ａを有し、シート基材１２の長手方向の他方側の保持脚部２６ｂが、保持脚部２６ｂの幅方向の中間部から、係合用スリット５４ａとは反対方向の幅方向の他端（下端）に到達する他方の係合用スリット５４ｂを有するものとなっている。この場合、先ず、一方および他方の保持脚部２６ａ，２６ｂが、折り曲げ線２４ａ，２４ｂで折り曲げられて対向配置される。次に、一方の係合用スリット５４ａと他方の係合用スリット５４ｂとが係合されることにより、一方および他方の保持脚部２６ａ，２６ｂが、特に、図１３の（Ａ），（Ｂ）に示すように、たとえば平面視略三角形のループ状に連結される。
【００４０】
そのため、図１３〜図１５に示す実施形態例では、ループ状に連結された保持脚部２６ａ，２６ｂが載置場所に載置されるので、より一層安定した状態で、シート基材１２を載置場所に起立させることができる。この場合、起立した状態のシート基材１２の起立部１２Ａに眼鏡が掛けられた場合、当該眼鏡のテンプルおよびモダンが、ループ状に連結された保持脚部２６ａ，２６ｂの上端部に載置・当接される。
【００４１】
また、図１３〜図１５に示す実施形態例では、保持脚部２６ａ，２６ｂが、特に、図１４に示すように、弱め線３４ａ，３４ｂで切断された切断端縁５２ａ，５２ｂを有するものであるが、たとえば図１６〜図１８に示すように、弱め線３４ａ，３４ｂを含まないもので形成されてもよい。この場合、保持脚部２６ａ，２６ｂは、特に、図１７に示すように、弱め線３４ａ，３４ｂで切断された切断端縁５２ａ，５２ｂを有しないため、図１６〜図１８に示す実施形態例にかかる眼鏡スタンド１０では、それを所定の載置場所に起立させた状態に載置した場合、シート基材１２の起立部１２Ａは、載置場所に対して傾斜した状態ではなく、載置場所に対して略垂直な状態で当該シート基材１２を起立させることができる。
【００４２】
なお、図１３〜図１５に示す実施形態例および図１６〜図１８に示す実施形態例では、シート基材１２の一方の切り込み線２４ａの先端部Ｘａと他方の切り込み線２４ｂの先端部Ｘｂとの間に、図８および図１２に示す実施形態例と同様の作用・効果を有する区画境界線４２が設けられている。
【００４３】
上述した各実施形態例にかかる眼鏡スタンド１０は、それぞれ、折り曲げ操作を行わない枚葉形の状態でシート基材１２を保管することができるため、保管・収納スペースが極めて少なくて済み、また、枚葉形の状態の当該シート基材１２を嵩張ることなく多量に運搬することが可能となる。
すなわち、上述した各実施形態例にかかる眼鏡スタンド１０では、容易に作製することができる部品点数の少ない構造を有し、簡単に眼鏡を保持することができると共に、眼鏡を輸送する際の収納・整理用のツール（台紙）としても使用することができ、且つ、持ち運びが便利で不使用時の保管スペースも小さくすることができるものとなっている。
【００４４】
本願考案にかかる実施形態例では、先に述べたように、折り曲げ操作を行う前のシート基材１２（例えば、図２，図７，図１４，図１７を参照）を、たとえば図４および図５に示すように、テンプル１０２が折り畳まれた状態の多数の眼鏡１００を収納箱２００に輸送する際の収納・整理用ツールの台紙として使用することができ得るものであると共に、ゴミとして捨てられていた台紙（例えば、図１９参照）を利用して、当該台紙に、上述した各実施形態例にかかる切り込み線１４ａ，１４ｂ、折り曲げ線２４ａ，２４ｂ、弱め線３４ａ，３４ｂ、表示部４０、区画境界線４２、区画境界線４２により区画される囲繞部４４，連接部４６を設け、且つ、たとえば上述の各実施形態例にかかる展開状態の眼鏡スタンド１０（折り曲げ操作を行う前のシート基材１２）の中から所望するものを適宜選択して、そして、当該シート基材１２に折り曲げ操作を施すことによって、上述した各実施形態例にかかる眼鏡スタンド１０を組み立てるようにしてもよい。
【図面の簡単な説明】
【００４５】
【図１】本願考案にかかる眼鏡スタンドの実施形態の一例を示す斜視図である。
【図２】図１に示す眼鏡スタンドの展開図である。
【図３】図１に示す眼鏡スタンドの使用状態の一例を示す斜視図である。
【図４】図１に示す眼鏡スタンドが台紙として使用された状態の一例を示す斜視図である。
【図５】図４に示す使用状態の要部を示す平面図である。
【図６】図１に示す眼鏡スタンドの他の例を示す斜視図である。
【図７】図６に示す眼鏡スタンドの展開図である。
【図８】図６に示す眼鏡スタンドの変形例を示す斜視図である。
【図９】本願考案にかかる眼鏡スタンドの実施形態の他の例を示す斜視図である。
【図１０】図９に示す眼鏡スタンドの使用状態の一例を示す斜視図である。
【図１１】図９に示す眼鏡スタンドの他の例を示す斜視図である。
【図１２】図１１に示す眼鏡スタンドの変形例を示す斜視図である。
【図１３】本願考案にかかる眼鏡スタンドの実施形態のさらに他の例を示す斜視図であり、（Ａ）は当該眼鏡スタンドを正面側から見た斜視図であり、（Ｂ）は当該眼鏡スタンドを背面側から見た斜視図である。
【図１４】図１３に示す眼鏡スタンドの展開図である。
【図１５】図１３に示す眼鏡スタンドの要部斜視図である。
【図１６】本願考案にかかる眼鏡スタンドの実施形態のさらに他の例を示す斜視図であり、（Ａ）は当該眼鏡スタンドを正面側から見た斜視図であり、（Ｂ）は当該眼鏡スタンドを背面側から見た斜視図である。
【図１７】図１６に示す眼鏡スタンドの展開図である。
【図１８】図１６に示す眼鏡スタンドの要部斜視図である。
【図１９】本願考案の背景となり、且つ、本願考案に係るシート基材に使用され得る従来の台紙の一例およびその使用例を示す平面図である。
【符号の説明】
【００４６】
１０  眼鏡スタンド
１２  シート基材
１４ａ，１４ｂ  切り込み線
１６ａ，１６ｂ  切り欠き部
１８ａ，１８ｂ，２０ａ，２０ｂ，２２ａ，２２ｂ  切り欠き部の内端縁
２４ａ，２４ｂ  折り曲げ線
２６ａ，２６ｂ  保持脚部
２８ａ，２８ｂ，３０ａ，３０ｂ，３２ａ，３２ｂ  自由辺
３４ａ，３４ｂ  弱め線
４０  表示部
４２  区画境界線
４４  囲繞部
４６  連接部
５０  当接片
５２ａ，５２ｂ  切断端縁
５４ａ，５４ｂ  係合用スリット
Ｗａ，Ｗｂ，Ｙａ，Ｙｂ  交点
Ｘａ，Ｘｂ  切り込み線の先端部
Ｚａ，Ｚｂ  弱め線の到達点
１００  眼鏡
１０２  テンプル
１０４  レンズ
１０６  智
１０８  鼻パッド
１１０  モダン
１５０  台紙
２００  収納箱
【図１】
0003139985.tif 000003
【図２】
0003139985.tif 000004
【図３】
0003139985.tif 000005
【図４】
0003139985.tif 000006
【図５】
0003139985.tif 000007
【図６】
0003139985.tif 000008
【図７】
0003139985.tif 000009
【図８】
0003139985.tif 000010
【図９】
0003139985.tif 000011
【図１０】
0003139985.tif 000012
【図１１】
0003139985.tif 000013
【図１２】
0003139985.tif 000014
【図１３】
0003139985.tif 000015
【図１４】
0003139985.tif 000016
【図１５】
0003139985.tif 000017
【図１６】
0003139985.tif 000018
【図１７】
0003139985.tif 000019
【図１８】
0003139985.tif 000020
【図１９】
0003139985.tif 000021
【手続補正書】
【提出日】平成19年11月26日(2007.11.26)
【手続補正１】
【補正対象書類名】図面
【補正対象項目名】図６
【補正方法】変更
【補正の内容】
【図６】
0003139985.tif 000022
【手続補正２】
【補正対象書類名】図面
【補正対象項目名】図７
【補正方法】変更
【補正の内容】
【図７】
0003139985.tif 000023
【手続補正３】
【補正対象書類名】図面
【補正対象項目名】図８
【補正方法】変更
【補正の内容】
【図８】
0003139985.tif 000024
【手続補正４】
【補正対象書類名】図面
【補正対象項目名】図１１
【補正方法】変更
【補正の内容】
【図１１】
0003139985.tif 000025
【手続補正５】
【補正対象書類名】図面
【補正対象項目名】図１２
【補正方法】変更
【補正の内容】
【図１２】
0003139985.tif 000026
【手続補正６】
【補正対象書類名】図面
【補正対象項目名】図１３
【補正方法】変更
【補正の内容】
【図１３】
0003139985.tif 000027
【手続補正７】
【補正対象書類名】図面
【補正対象項目名】図１４
【補正方法】変更
【補正の内容】
【図１４】
0003139985.tif 000028
【手続補正８】
【補正対象書類名】図面
【補正対象項目名】図１６
【補正方法】変更
【補正の内容】
【図１６】
0003139985.tif 000029
【手続補正９】
【補正対象書類名】図面
【補正対象項目名】図１７
【補正方法】変更
【補正の内容】
【図１７】
0003139985.tif 000030